(57)【特許請求の範囲】
【請求項１】
原子力プラントからプラント状態を表すプロセスデータを取り込むためのプロセスデータ取込手段と、前記プロセスデータ取込手段によって取り込まれたプロセスデータに基づいて原子力プラントのプラント状態を監視するコンピュータと、前記コンピュータから送られた監視情報を表示する表示手段と、前記コンピュータに対してプラント監視機能の要求の入力を行うための入力手段と、を備え、
前記コンピュータは、
前記プロセスデータ取込手段が取り込んだプロセスデータを含む出力分布計算条件作成用データファイルと、出力分布計算選択用データファイルと、出力分布計算用データファイルと、出力分布計算結果データファイルと、を有する参照データベースを記憶する記憶手段と、
前記出力分布計算条件作成用データファイルからの前記プロセスデータから出力分布計算のための入力条件データを作成し、前記出力分布計算用データファイルに記憶させる出力分布計算条件作成手段と、
前記出力分布計算選択用データファイルからのデータに基づいて原子炉の出力分布を算出する複数の出力分布計算部の中から起動すべき出力分布計算部を選択するための出力分布計算選択手段と、
データの入出力を前記参照データベースの前記データファイルを介して行なうことにより前記出力分布計算条件作成手段および前記出力分布計算選択手段とは独立した構成とした複数の出力分布計算部を有し、前記出力分布計算選択手段により選択された出力分布計算部に従って前記出力分布計算用データファイルの入力条件データを用いて出力分布計算を実行し、出力分布計算結果を前記出力分布計算結果データファイルに記憶させる出力分布計算手段と、を具備することを特徴とする炉心管理装置。
【請求項２】
前記出力分布計算手段による出力分布計算を実行するために原子力プラントの運転サイクル初期に連続して動作させる複数のサイクル初期化手段と、前記複数のサイクル初期化手段の中から起動すべきサイクル初期化手段を選択して指定するための起動手段選択情報に基づいて前記複数のサイクル初期化手段を順次連続して起動させるサイクル初期化制御手段と、前記サイクル初期化制御手段を要求するサイクル初期化時制御要求手段と、をさらに備えたことを特徴とする請求項１記載の炉心管理装置。
【請求項３】
プラントデータの積算値を保存するプラントデータ積算値記憶手段と、プラントデータの積算を行うプラントデータ積算手段と、プラントデータの積算値の増分を直接入力するための積算値増分入力手段と、前記積算値増分入力手段によって入力された積算値増分と前記プラントデータ積算値記憶手段に記憶されている現在の積算値とを加えて補正後の積算値を計算すると共にその計算結果を現在の積算値に代えて前記プラントデータ積算値記憶手段に記憶するプラントデータ積算値設定手段と、をさらに備えたことを特徴とする請求項１又は請求項２に記載の炉心管理装置。
【請求項４】
前記積算値増分入力手段で入力する積算値増分の対応する時刻を入力するための積算値対応時刻入力手段をさらに備えたことを特徴とする請求項３記載の炉心管理装置。
【請求項５】
プラントデータの積算値の絶対値を直接入力するための積算値絶対値入力手段と、入力された積算値の絶対値を前記プラントデータ積算値記憶手段に記憶されている現在の積算値と置き換えて記憶させるための積算値絶対値設定手段と、をさらに備えたことを特徴とする請求項３又は請求項４に記載の炉心管理装置。
【請求項６】
前記プラントデータ積算値設定手段及び前記積算値絶対値設定手段のいずれか一方を選択して起動させるための積算値設定方法選択手段をさらに備えたことを特徴とする請求項５記載の炉心管理装置。
【請求項７】
前記記憶手段に保存された出力分布計算結果の中から表示対象データを指定するための任意データ表示要求手段と、表示対象データが特定の状態にあるという条件の下で表示すべきデータを選択するためにデータ採取位置の条件を指定するためのデータ採取位置指定手段と、前記データ採取位置指定手段によって指定されたデータ採取位置におけるデータを前記記憶手段に保存された出力分布計算結果から受け取って編集するための出力分布計算結果編集手段と、前記出力分布計算結果編集手段による編集結果を前記表示装置に出力するための出力分布計算結果表示手段と、をさらに備えたことを特徴とする請求項１乃至請求項６のいずれか一項に記載の炉心管理装置。
【請求項８】
前記データ採取位置指定手段によって指定された最新のデータ採取位置設定条件を記憶するためのデータ採取位置前回値記憶手段と、前記データ採取位置前回値記憶手段に保存されているデータ採取位置の前回値を前記データ採取位置指定手段に入力するためのデータ採取位置前回値入力手段と、をさらに備えたことを特徴とする請求項７記載の炉心管理装置。
【請求項９】
前記データ採取位置指定手段によって指定されたデータ採取位置設定条件を記憶するためのデータ採取位置設定記憶手段と、前記データ採取位置設定記憶手段に保存されているデータ採取位置の設定条件を前記データ採取位置指定手段に送るためのデータ採取位置設定読込手段と、前記データ採取位置指定手段による現在のデータ採取位置情報を前記データ採取位置設定記憶手段に保存するためのデータ採取位置設定書込手段と、をさらに備えたことを特徴とする請求項７又は請求項８に記載の炉心管理装置。
【発明の詳細な説明】
【０００１】
【発明の属する技術分野】
本発明は、原子力プラントの炉心管理装置に係わり、特に、サイクル炉心設計に用いる炉心管理装置に関する。
【０００２】
【従来の技術】
図２８は従来の炉心管理装置の概略構成を示したブロック図であり、図２８に示したように従来の炉心管理装置は、出力分布を計算するための出力分布計算部１０１と計算条件を作成するための計算条件作成部１０２とが単一のプログラムである出力分布計算プログラム１００で実現されており、出力分布計算の部分と出力分布計算条件設定の部分とが１つのプログラムの中で混在した状態となっていた。
【０００３】
また、従来の炉心管理装置は、出力分布計算部１０１及び計算条件作成部１０２が参照する参照データベース１０３が単一の出力分布計算データファイル１０４で構成されており、出力分布計算部１０１及び計算条件作成部１０２が単一のファイル１０４の別領域を参照し、ときには同一領域を参照していた。出力分布計算データファイル１０４は、複数の計算用データ１０５及び複数の計算条件作成用データ１０６を含んでいる。
【０００４】
また、運転サイクル初期状態では、炉心管理装置内に記憶されている前サイクルの複数の機能要求が必要なものとして、以下の機能が挙げられる。
【０００５】
運転サイクル開始時には、前サイクルの情報を炉心管理装置から消去するために、
・前サイクルの履歴データの初期化
・サイクル通算の積算データの初期化
・出力分布計算用データの初期化
・サイクル初回のＬＰＲＭ全較正完了フラグの初期化
などの種々の初期化処理を行う必要がある。
【０００６】
そして、図２９に示したように、上述した初期化処理は、ユーザが個別の対話プログラムから要求していた。すなわち、ユーザは、履歴データ初期化プログラム１０７、積算値初期化プログラム１０８、出力分布計算データ初期化プログラム１０９、及びＬＰＲＭ全較正完了フラグ初期化プログラム１１０から参照データベース１０３に対して初期化処理を要求していた。
【０００７】
より詳細に説明すると、履歴データ初期化プログラム１０７は定時履歴データ１１１、日報履歴データ１１２及び月報履歴データ１１３の初期化処理を要求し、積算値初期化プログラム１０８はサイクル積算データ１１４の初期化処理を要求し、出力分布計算データ初期化プログラム１０９は出力分布計算データファイル１０４の初期化処理を要求し、ＬＰＲＭ全較正完了フラグ初期化プログラム１１０はＬＰＲＭ全較正完了フラグデータ１１５の初期化を要求する。
【０００８】
また、炉心管理の重要データとして、出力分布計算の入力データとして必要な、サイクル初期からの原子炉熱出力の総発生熱量の積算値があるが、この値の初期値はサイクル起動時にユーザの入力により指定されている。
【０００９】
このときの入力方法は、現在の炉心管理装置が記憶している原子炉熱出力積算値と積算値対応時刻を参考値として画面表示し、ユーザ入力として積算値対応時刻から現在時刻までの原子炉熱出力の平均値を入力している。
【００１０】
このため、精度の高い積算値を指定するには、積算値対応時刻から現在までに発生した熱量を計算し、この計算値を時間間隔（積算値対応時刻−現在時刻）で平均した原子炉熱出力平均値を計算してから入力する必要があった。
【００１１】
また、出力分布計算結果の炉心状態情報の表示要求において、一回の要求で一種類の情報を表示させていた。炉内の特殊な位置、例えば、計算結果の任意のデータの最大値を表している位置、最小値を表している位置に属する炉内構造物の計算結果を得ようとした場合、図３０に示したように、ある計算結果の炉心全体のサマリデータを計算結果サマリ表示プログラム１１６を用いて表示し、表示データに含まれる最大値又は最小値情報から、ユーザがその位置情報を採取して、再度、その位置データを用いて炉内構造物データの表示を指定位置データ表示プログラム１１７を用いて要求していた。
【００１２】
例えば、最も熱的制限値の厳しい座標のデータが欲しいときには、図３１に示したように、出力分布計算結果サマリ表示を要求すると（ステップ１００）、サマリデータ１１８上に熱的制限値が最も厳しい燃料集合体の座標が表示されるので、サマリデータ１１８から選択したい状態の炉内構造物の座標情報をユーザが判断する（ステップ１０１）。
【００１３】
そして、ユーザが判断した座標位置を指定位置データ表示プログラム１１７（図３０参照）に入力すると（ステップ１０２）、ユーザ指定座標に基づいてユーザが要求している座標の出力分布計算結果が表示され（ステップ１０３）、これによって要求するデータを入手している。
【００１４】
【発明が解決しようとする課題】
上述したように従来の炉心管理装置においては、出力分布計算部１０１と計算条件作成部１０２とがプログラム上明確に分離されておらず、出力分布計算部１０１の入れ替えを行おうとすると、計算条件作成部１０２も同時に変更する必要があり、炉心管理装置全体に影響する複雑な作業が必要となる。
【００１５】
従って、出力分布計算プログラム１００の計算方法を切り換えるためには、炉心管理装置全体を入れ替えることが必要であり、大規模な改造作業が必要であった。そして、炉心管理装置全体を入れ替えた結果、炉心管理装置の使用方法が変更され、そのたびにユーザは新しい操作方法を修得する必要があった。
【００１６】
また、運転サイクル開始時の機能要求時や計算結果データ表示要求時に、必要とする処理を要求するために、複数の機能実行が必要であり、作業の迅速化は図れず、さらには誤入力が発生する可能性が高かった。
【００１７】
また、精度の高いサイクル積算値を用いた炉心管理を行うには、積算値補正を要求する時刻（現在時刻）までの発生熱量を精度良く推定する必要があり、さらに、これをわざわざ閉経計算しなければならなかった。このため、複雑な作業が必要であり、また、誤った積算値を算出する可能性も高かった。
【００１８】
さらに、出力分布計算結果の炉内の特殊な位置、例えば、計算結果の任意のデータの最大値を表している位置、最小値を表している位置に属する炉内構造物の計算結果を得ようとした場合、一度、座標を確認できるようなデータを表示し、さらに別の対話操作により、確認した座標データを要求する必要があった。
【００１９】
このように、相互に関連性のある複数の条件を満たす情報を得るために、個々の選択条件毎に表示要求を行い、個別に表示された結果から人為的な判断を介して最終的な情報を得ていた。そして、このようにして求められた情報はその信頼性が低く、同時に、ユーザへの負担が大きくなっていた。
【００２０】
また、従来の炉心管理装置においては、前回の要求と同じ要求を行う場合にも、常に設定値の入力を改めて行う必要があった。このため、作業の迅速化を図れず、さらには誤入力が発生する可能性が高かった。
【００２１】
本発明は、上述した種々の問題点に鑑みてなされたものであって、出力分布計算の手法変更を容易に行うことができ、また、作業を迅速且つ的確に行うことができる炉心管理装置を提供することを目的とする。
【００２２】
【課題を解決するための手段】
本発明による炉心管理装置は、原子力プラントからプラント状態を表すプロセスデータを取り込むためのプロセスデータ取込手段と、前記プロセスデータ取込手段によって取り込まれたプロセスデータに基づいて原子力プラントのプラント状態を監視するコンピュータと、前記コンピュータから送られた監視情報を表示する表示手段と、前記コンピュータに対してプラント監視機能の要求の入力を行うための入力手段と、を備え、前記コンピュータは、前記プロセスデータ取込手段が取り込んだプロセスデータを含む出力分布計算条件作成用データファイルと、出力分布計算選択用データファイルと、出力分布計算用データファイルと、出力分布計算結果データファイルと、を有する参照データベースを記憶する記憶手段と、前記出力分布計算条件作成用データファイルからの前記プロセスデータから出力分布計算のための入力条件データを作成し、前記出力分布計算用データファイルに記憶させる出力分布計算条件作成手段と、原子炉の出力分布を算出する複数の出力分布計算部の中から起動すべき出力分布計算部を選択するための出力分布計算選択手段と、データの入出力を前記参照データベースの前記データファイルを介して行なうことにより前記出力分布計算条件作成手段および前記出力分布計算選択手段とは独立した構成とした複数の出力分布計算部を有し、前記出力分布計算選択手段により選択された出力分布計算部に従って前記出力分布計算用データファイルの入力条件データを用いて出力分布計算を実行し、出力分布計算結果を前記出力分布計算結果データファイルに記憶させる出力分布計算手段と、を具備する。
【００２３】
また、好ましくは、前記出力分布計算手段による出力分布計算を実行するために原子力プラントの運転サイクル初期に連続して動作させる複数のサイクル初期化手段と、前記複数のサイクル初期化手段の中から起動すべきサイクル初期化手段を選択して指定するための起動手段選択情報に基づいて前記複数のサイクル初期化手段を順次連続して起動させるサイクル初期化制御手段と、前記サイクル初期化制御手段を要求するサイクル初期化時制御要求手段と、をさらに備える。
【００２４】
また、好ましくは、プラントデータの積算値を保存するプラントデータ積算値記憶手段と、プラントデータの積算を行うプラントデータ積算手段と、プラントデータの積算値の増分を直接入力するための積算値増分入力手段と、前記積算値増分入力手段によって入力された積算値増分と前記プラントデータ積算値記憶手段に記憶されている現在の積算値とを加えて補正後の積算値を計算すると共にその計算結果を現在の積算値に代えて前記プラントデータ積算値記憶手段に記憶するプラントデータ積算値設定手段と、をさらに備える。
【００２５】
また、好ましくは、前記積算値増分入力手段で入力する積算値増分の対応する時刻を入力するための積算値対応時刻入力手段をさらに備える。
【００２６】
また、好ましくは、プラントデータの積算値の絶対値を直接入力するための積算値絶対値入力手段と、入力された積算値の絶対値を前記プラントデータ積算値記憶手段に記憶されている現在の積算値と置き換えて記憶させるための積算値絶対値設定手段と、をさらに備える。
【００２７】
また、好ましくは、前記プラントデータ積算値設定手段及び前記積算値絶対値設定手段のいずれか一方を選択して起動させるための積算値設定方法選択手段をさらに備える。
【００２８】
また、好ましくは、前記記憶手段に保存された出力分布計算結果の中から表示対象データを指定するための任意データ表示要求手段と、表示対象データが特定の状態にあるという条件の下で表示すべきデータを選択するためにデータ採取位置の条件を指定するためのデータ採取位置指定手段と、前記データ採取位置指定手段によって指定されたデータ採取位置におけるデータを前記記憶手段に保存された出力分布計算結果から受け取って編集するための出力分布計算結果編集手段と、前記出力分布計算結果編集手段による編集結果を前記表示装置に出力するための出力分布計算結果表示手段と、をさらに備える。
【００２９】
また、好ましくは、前記データ採取位置指定手段によって指定された最新のデータ採取位置設定条件を記憶するためのデータ採取位置前回値記憶手段と、前記データ採取位置前回値記憶手段に保存されているデータ採取位置の前回値を前記データ採取位置指定手段に入力するためのデータ採取位置前回値入力手段と、をさらに備える。
【００３０】
また、好ましくは、前記データ採取位置指定手段によって指定されたデータ採取位置設定条件を記憶するためのデータ採取位置設定記憶手段と、前記データ採取位置設定記憶手段に保存されているデータ採取位置の設定条件を前記データ採取位置指定手段に送るためのデータ採取位置設定読込手段と、前記データ採取位置指定手段による現在のデータ採取位置情報を前記データ採取位置設定記憶手段に保存するためのデータ採取位置設定書込手段と、をさらに備える。
【００３１】
【発明の実施の形態】
第１実施形態
以下、本発明の第１実施形態による炉心管理装置について図１乃至図３を参照して説明する。
【００３２】
図１は、本実施形態による炉心管理装置の概略構成を示したブロック図であり、図１において符号１は、管理対象である炉心を含む原子力プラントを示している。図１に示したようにこの炉心管理装置は、原子力プラント１からプラント状態を表すプロセスデータ（プロセス量）を受信するためのプロセスデータ取込装置２を備えており、このプロセスデータ取込装置２によって取り込まれたプロセスデータはコンピュータ３に送られ、コンピュータ３はプロセスデータに基づいて原子力プラント１のプラント状態を監視する。
【００３３】
コンピュータ３が作成した監視情報は表示装置４に送られて表示される。また、コンピュータ３に対するプラント監視機能要求のデータ入力はデータ入力手段５から行われる。表示手段４は、複数のプラント機能を利用するための入力項目を設定するための機能を有する。
【００３４】
図２は、コンピュータ３の内部の構成を示したブロック図であり、図２に示したようにコンピュータ３は、プロセスデータ取込手段２で取り込んだプロセスデータに基づいて異なる手法で炉心状態を計算する複数の出力分布計算部６を有する出力分布計算手段（出力分布計算プログラム）７と、出力分布計算のための入力条件を作成するための出力分布計算条件作成手段８と、複数の出力分布計算部６の中から起動すべき出力分布計算部を選択するための出力分布計算選択手段９と、を有する。出力分布計算条件作成手段８は、出力分布計算結果に基づいて原子炉構造物に関する状態を算出する機能を有する。
【００３５】
さらに、本実施形態による炉心管理装置は、出力分布計算条件、出力分布計算結果及び出力分布計算選択条件に関するデータを含む参照データベース１０を保存する記憶手段６０を備えている。
【００３６】
参照データベース１０は、出力分布計算条件作成手段８に送られるデータを含む出力分布計算条件作成用データファイル（プロセスデータ記憶手段）１１と、出力分布計算選択手段９に送られるデータを含む出力分布計算選択用データファイル１２と、出力分布計算手段７の出力分布計算部６に送られるデータを含む出力分布計算用データファイル１３と、出力分布計算部６から送られる計算結果のデータを含む出力分布計算結果データファイル１４と、を備えている。参照データベース１０を記憶するための記憶媒体としては、例えば磁気ディスクを使用することができる。
【００３７】
次に、本実施形態による炉心管理装置における処理手順について説明する。
【００３８】
まず、出力分布計算実行前に、当該運転サイクルで動作させる出力分布計算部６の指定を出力分布計算プログラム名称を用いて出力分布計算選択用データファイル１２に登録しておく。
【００３９】
図３は、本実施形態による炉心管理装置における処理の流れを示している。
【００４０】
出力分布計算条件作成プログラム８にプラントデータを入力する（ステップ１）。入力されたプラントデータに基づいて、出力分布計算プログラム７のための計算条件データを作成し、出力分布計算用データファイル１３に出力し、出力分布計算選択プログラム９に作成完了の通知を出力する（ステップ２）。
【００４１】
ここで、計算条件データとしては、原子炉熱出力、炉心流量、原子炉内の制御棒挿入位置等のデータがある。
【００４２】
出力分布計算条件データ作成後に、出力分布計算選択プログラム９は、設定されている出力分布計算部６（図２参照）を選択するために出力分布計算選択用データファイル１２からデータを受け取り（ステップ３）、指定されている出力分布計算プログラムの名称から要求する出力分布計算部６を選択し、選択した出力分布計算部６に起動要求を行う（ステップ４）。
【００４３】
出力分布計算プログラム７に出力分布計算条件データが入力される（ステップ５）。選択された出力分布計算部６は、出力分布計算用データファイル１３から原子炉熱出力、炉心流量、制御棒挿入位置等の計算条件データを受け取る（ステップ６）。出力分布計算部６は入力された計算条件データに基づいて出力分布を計算し、計算結果を出力分布計算結果データとして出力する（ステップ７）。
【００４４】
計算結果である出力分布データは出力分布計算結果としてデータファイル１４（コンピュータ上のディスク上）に保存され、炉心状態表示要求時、次回出力分布計算時に使用される。
【００４５】
また、出力分布計算結果データ出力後に、出力分布計算条件作成プログラム８は、出力分布計算結果を入力し（ステップ８）、この計算結果データを用いて出力分布以外の炉心管理に必要なデータ、例えば発電機出力との熱効率データ等を計算し、磁気ディスク上に記憶する（ステップ９）。記憶された炉心管理データは次回出力分布計算時に出力分布計算条件作成プログラム８によって使用される。
【００４６】
以上述べたように本実施形態による炉心管理装置によれば、出力分布計算手段（出力分布計算プログラム）７、出力分布計算条件作成手段（出力分布計算条件作成プログラム）８、及び出力分布計算選択手段（出力分布計算選択プログラム）９は、互いに分離可能な独立したプログラムとしてそれぞれ構成されているので、原子力プラントの運用のために出力分布計算手段７を変更する場合、出力分布計算手段７のみを入れ替えることが可能であり、出力分布計算条件作成手段８等の他の手段を変更する必要がない。
【００４７】
したがって、出力分布計算手段７を変更する際に炉心管理装置全体の機能更新を行う必要がなく、計算手法の変更を容易に行うことができると共に、変更後に炉心管理装置の使用方法に混乱を生じることなく支障なく継続使用することができる。
【００４８】
第２実施形態
次に、本発明の第２実施形態による炉心管理装置について図４乃至図６を参照して説明する。なお、本実施形態は上述した第１実施形態に対して構成を一部追加したものである。
【００４９】
図４に示したように本実施形態による炉心管理装置は、上述した第１実施形態の構成に対して、出力分布計算手段７（図２参照）による出力分布計算を実行するために原子力プラントの運転サイクル初期に連続して動作させる複数のサイクル初期化プログラム（サイクル初期化手段）１５、１６、１７、１８を備えている。
【００５０】
具体的には、サイクル初期化プログラムは、定時履歴データファイル２２、日報履歴データファイル２３及び月報履歴データファイル２４に保存されている前サイクルの履歴データを削除する履歴データ初期化プログラム１５と、サイクル積算データファイル２５に保存されているサイクル通算積算データを初期化する積算値初期化プログラム１６と、出力分布計算用データファイル１３に保存されている出力分布計算用データを初期化する出力分布計算データ初期化プログラム１７と、ＬＰＲＭ全較正完了フラグデータファイル２６に保存されているサイクル初回のＬＰＲＭ全較正フラグを初期化するＬＰＲＭ全較正完了フラグ初期化プログラム１８を備えている。
【００５１】
本実施形態による炉心管理装置は、さらに、複数のサイクル初期化プログラム１５、１６、１７、１８の中から現時点で起動すべきサイクル初期化プログラムを選択して指定するための起動手段選択情報に基づいて複数のサイクル初期化プログラムを順次連続して起動させるサイクル初期化制御プログラム（サイクル初期化制御手段）１９を備えている。
【００５２】
サイクル初期化制御プログラム１９はサイクル初期化時制御要求プログラム（サイクル初期化制御要求手段）２０によって要求される。具体的には、サイクル初期化時制御要求が表示装置４（図１参照）に表示され、データ入力装置５からユーザにより出されたサイクル初期化時制御要求をサイクル初期化時制御要求プログラム２０が受け付ける。
【００５３】
起動手段選択情報は参照データベース１０に保存されており、具体的には、例えば第１運転サイクルとそれ以降のサイクルにおいて起動する手段を区別する起動手段指定データファイル２１がある。
【００５４】
次に、本実施形態による炉心管理装置における処理の流れについて図５を参照して説明する。
【００５５】
原子力プラントの運転サイクル初期に、表示装置４（図１参照）に表示されるサイクル初期化時制御要求プログラム２０において「実行」要求することにより（ステップ１０）、サイクル初期化制御プログラム１９に実行が要求される。
【００５６】
実行要求を受けたサイクル初期化制御プログラム１９は、起動手段指定データファイル（サイクル初期化処理選択データベース）２１上のサイクル情報を受け取って（ステップ１１）、起動するサイクル初期化プログラム１５、１６、１７、１８を選択する。
【００５７】
図６は起動手段選択情報テーブルの一例を示しており、図６に示したように、第１運転サイクルではＬＰＲＭ全較正完了フラグは設定されておらず、積算値、前サイクルの履歴データも存在せず、これらの初期化処理は不要であるため、出力分布計算データの初期化処理のみを指定する。
【００５８】
これに対して第２運転サイクル以降では、前サイクルの積算値、履歴データが存在するため、出力分布計算データのみならずこれらのデータについても初期化処理を行う必要があるので、履歴データ初期化処理、積算値初期化処理、出力分布計算データ初期化処理、ＬＰＲＭ全較正完了データ初期化処理を指定する。
【００５９】
サイクル初期化制御プログラム１９は、入力された起動手段指定データ（サイクル初期化処理選択情報）に基づいて、初期化処理を順次連続して起動させる（ステップ１２）。
【００６０】
すなわち、第１運転サイクル初期化時は、出力分布計算データ初期化プログラム１７によって出力分布計算データの初期化のみを行う。
【００６１】
一方、第１運転サイクル以外の初期化時は、まず、履歴データ初期化プログラム１５を要求し、前サイクル履歴データの初期化を行う。次に、積算値初期化プログラム１６を要求し、前サイクル積算データのクリアを行う。さらに、出力分布計算データ初期化プログラム１７を要求し、出力分布計算用データの初期化を行う。最後に、ＬＰＲＭ全較正完了フラグ初期化プログラム１８を要求し、ＬＰＲＭ全較正完了フラグのリセットを行う。
【００６２】
以上述べたように本実施形態による炉心管理装置によれば、サイクル初期化制御プログラム１９によって複数のサイクル初期化プログラム１５、１６、１７、１８を順次連続して起動させることができるので、サイクル初期に必要な初期化操作を要求する際に、従来のように複数の対話要求画面から連続した機能要求を行う必要がなく、単純な操作でサイクル初期操作を正確且つ迅速に行うことができ、ユーザによるサイクル初期化操作の誤操作又は操作忘れを防止することができる。
【００６３】
第３実施形態
次に、本発明の第３実施形態による炉心管理装置について図７乃至図９を参照して説明する。なお、本実施形態は、上述した第１又は第２実施形態に対して構成を一部追加したものである。
【００６４】
図７に示したように本実施形態による炉心管理装置は、プラントデータの積算値を保存するプラントデータ積算値記憶ファイル（プラントデータ積算値記憶手段）２７を参照データベース１０の中に備えている。
【００６５】
さらに、本実施形態による炉心管理装置は、現時点のプロセスデータを入力し、プラントデータの積算を行ってプラントデータ積算値記憶ファイル２７の積算値を更新するプラントデータ積算プログラム（プラントデータ積算手段）２８と、積算値の増分を直接入力するための積算値増分入力プログラム（積算値増分入力手段）２９と、前記積算値増分入力プログラム２９によってユーザにより入力された積算値増分とプラントデータ積算値記憶ファイル２７に記憶されている現在の積算値とを加えて補正後の積算値を計算すると共にその計算結果を現在の積算値に代えてプラントデータ積算値記憶ファイル２７に記憶するプラントデータ積算値設定プログラム（プラントデータ積算値設定手段）３０と、を備えている。
【００６６】
次に、本実施形態による炉心管理装置における処理の流れについて図８及び図９を参照して説明する。
【００６７】
図９は積算値増分入力プログラム２９の画面例を示しており、この画面３１は原子力プラントの積算値を補正する際に表示装置４に表示される。画面３１には、現在のプラントデータ積算値記憶ファイル２７に記憶される積算値が参考値として表示され、ユーザは現在の積算値を参考にしながら積算値の増分を入力する。
【００６８】
図８に示したように、「実行」要求することにより（ステップ２０）、指定したサイクル積算値増分がプラントデータ積算値設定プログラム３０に通知される（ステップ２１）。プラントデータ積算値設定プログラム３０は、通知された積算値増分と、プラントデータ積算値記憶ファイル２７からのプラントデータ積算値とを受け取る（ステップ２２）。
【００６９】
プラントデータ積算値と積算値増分とを足し（ステップ２３）、新たな積算値としてプラントデータ積算値記憶ファイル２７に出力する（ステップ２４）。現在時刻を取り出し、積算値対応時刻として現在時刻をプラントデータ積算値記憶ファイル２７に出力する（ステップ２５）。
【００７０】
一方、プラントデータ積算プログラム２８は、プラントデータ積算値記憶ファイル２７からプラントデータ積算値と積算値対応時刻を受け取り（ステップ２６）、プラントデータ積算時に、プラントデータ積算値記憶ファイル２７からプラントデータ及びプラントデータ対応時刻を受け取る（ステップ２７）。プラントデータ対応時刻の積算値対応時刻からの時間差を計算する（ステップ２８）。プラントデータ積算プログラム２８によって足し込まれる積算値増分は、プラントデータに前回プラントデータ積算値計算時刻からの時間増分を掛けて算出する（ステップ２９）。計算した積算値とプラントデータ対応時刻を新たな積算値、積算値対応時刻としてプラントデータ積算値記憶ファイル２７に出力する（ステップ３０）。
【００７１】
以上述べたように本実施形態による炉心管理装置によれば、積算値増分入力プログラム２９及びプラントデータ積算値設定プログラム３０によって、プラントデータ積算値の現在値に対する増分を指定することができ、コンピュータ停止時等からの増分を直接指定することができ、積算値の増分入力時に生じる誤差を少なくすることができる。
【００７２】
したがって、サイクルの積算値を適切な値に修正するときに、従来のような平均計算を行うことなく、単純な増分の入力で修正を行うことができ、より精度の高い積算値修正を行うことができる。
【００７３】
第４実施形態
次に、本発明の第４実施形態による炉心管理装置について図１０乃至図１２を参照して説明する。なお、本実施形態は上述した第３実施形態に対して構成を一部追加したものである。
【００７４】
図１０に示したように本実施形態による炉心管理装置は、積算値増分入力プログラム２９で入力する積算値増分に対応する時刻を入力するための積算値対応時刻入力プログラム（積算値対応時刻入力手段）３２を備えている。
【００７５】
次に、本実施形態による炉心管理装置における処理の流れについて図１１及び図１２を参照して説明する。
【００７６】
図１２は積算値増分入力プログラム２９及び積算値対応時刻入力プログラム３２の画面例を示しており、この画面３３は原子力プラントの積算値を補正する際に表示装置４に表示される。画面３２には、現在のプラントデータ積算値記憶ファイル２７に記憶される積算値が参考値として表示され、ユーザはこの現在の積算値を参考にしながら積算値の増分を入力する。
【００７７】
また、画面３３には、現在のプラントデータ積算値記憶ファイル２７に記憶される積算値対応時刻が参考値として表示され、ユーザは指定したい積算値対応時刻を入力する。
【００７８】
図１１に示したように、「実行」要求することにより（ステップ２０）、指定したサイクル積算値増分と積算値対応時刻がプラントデータ積算値設定プログラム３０に通知される。プラントデータ積算値設定プログラム３０は、指定された積算値増分及び積算値対応時刻を受け取り（ステップ２１）、プラントデータ積算値記憶ファイル２７からプラントデータ積算値を受け取る（ステップ２２）。
【００７９】
次に、積算値増分とプラントデータ積算値とを足し（ステップ２３）、計算結果を新たなプラントデータ積算値としてプラントデータ積算値記憶ファイル２７に出力する（ステップ２４）。このとき、プラントデータ積算値記憶ファイル２７に出力する積算値対応時刻はユーザが指定した積算値対応時刻とする（ステップ２５）。
【００８０】
一方、プラントデータ積算プログラム２８は、プラントデータ積算値記憶ファイル２７からのプラントデータ積算値と、入力された積算値対応時刻とを受け取り（ステップ２６）、プラントデータ積算時に、プラントデータ積算値記憶ファイル２７からプラントデータ及びプラントデータ対応時刻を受け取る（ステップ２７）。プラントデータ対応時刻の積算値対応時刻からの時間差を計算する（ステップ２８）。プラントデータ積算プログラム２８によって足し込まれる積算値増分は、プラントデータに前回プラントデータ積算値計算時刻からの時間増分を掛けて算出する（ステップ２９）。計算した積算値とプラントデータ対応時刻を新たな積算値、積算値対応時刻としてプラントデータ積算値記憶ファイル２７に出力する（ステップ３０）。
【００８１】
以上述べたように本実施形態による炉心管理装置によれば、積算値対応時刻入力プログラム３２によって、任意の時刻に対する積算値を設定できるので、サイクル積算値の補正量が対応する時刻をユーザが指定することができ、現在時刻に合わせた積算値増分を指定することなく、積算値の設定しやすい時刻を選ぶことにより確実な積算値増分を指定することができ、高精度の積算値修正を行うことができる。
【００８２】
第５実施形態
次に、本発明の第５実施形態による炉心管理装置について図１３乃至図１５を参照して説明する。なお、本実施形態は、上述した第３又は第４実施形態に構成を一部追加したものである。
【００８３】
図１３に示したように本実施形態による炉心管理装置は、プラントデータ積算値の増分ではなく、積算値そのものである積算値絶対値をユーザが指定する積算値絶対値入力プログラム（積算値絶対値入力手段）３４と、入力された積算値絶対値を新たな積算値として現在の積算値と置き換えてプラントデータ積算値記憶ファイル２７に保存する積算値絶対値設定プログラム（積算値絶対値設定手段）３５と、を備えている。
【００８４】
次に、本実施形態による炉心管理装置における処理の流れについて図１４及び図１５を参照して説明する。
【００８５】
図１５は積算値絶対値入力プログラム３４及び積算値対応時刻入力プログラム３２の画面例を示しており、この画面３６は原子力プラントの積算値を補正する際に表示装置４に表示される。画面３６には、プラントデータ積算値記憶ファイル２７の現在の積算値が参考値として表示され、ユーザはこの現在の積算値を参考にしながら、補正したい積算値絶対値を入力する。
【００８６】
また、画面３６には、現在のプラントデータ積算値記憶ファイル２７に記憶される積算値対応時刻が参考値として表示され、ユーザは指定したい積算値対応時刻を入力する。
【００８７】
図１４に示したように、「実行」要求することにより（ステップ４０）、指定したサイクル積算値絶対値及び積算値対応時刻がプラントデータ絶対値設定プログラム３５に通知される。プラントデータ絶対値設定プログラム３５は、指定された積算値絶対値及び積算値対応時刻を受け取り（ステップ４１）、通知された積算値絶対値を新たな積算値としてプラントデータ積算値記憶ファイル２７に出力する（ステップ４２）。このとき、プラントデータ積算値記憶ファイル２７に出力する積算値対応時刻はユーザが指定した積算値対応時刻とする（ステップ２５）。
【００８８】
以上述べたように本実施形態による炉心管理装置によれば、積算値絶対値を直接入力することができるので、サイクル積算値の絶対値が明らかな時点（例えばプラント起動前の時点）でのサイクル積算値を確実に修正する（例えばサイクル積算値＝０）ことができ、誤差のない積算値の設定を行うことができる。
【００８９】
第６実施形態
以下、本発明の第６実施形態による炉心管理装置について図１６乃至図１８を参照して説明する。なお、本実施形態は上述した第５実施形態に対して構成を一部追加したものである。
【００９０】
図１６に示したように本実施形態による炉心管理装置は、プラントデータ積算値設定プログラム３０及び積算値絶対値設定プログラム３５のいずれか一方を選択して起動させるための積算値設定方法選択プログラム（積算値設定方法選択手段）３７を備えている。
【００９１】
次に、本実施形態による炉心管理装置における処理の流れについて図１７及び図１８を参照して説明する。
【００９２】
図１８は積算値設定方法選択プログラム３７の画面例を示しており、この画面３８は原子力プラントの積算値を補正する際に表示装置４に表示される。そして、この画面３８によって、積算値の修正方法として積算値の増分による補正を行うか、或いは積算値の絶対値による補正を行うかを選択することができる。
【００９３】
図１７に示したように、「実行」要求することにより（ステップ４５）、ユーザにより選択された補正方法に応じた入力プログラム２９、３２又は３２、３４に従って積算値補正データの入力を行う。つまり、積算値増分及び積算値対応時刻についてのデータの入力、或いは積算値絶対値及び積算値対応時刻についてのデータの入力が行われる。次に、ユーザにより選択された補正方法に応じた設定プログラム３０又は３５が起動され、入力された積算値補正データに基づいて積算値補正が行われる。
【００９４】
以上述べたように本実施形態による炉心管理装置によれば、積算値設定方法選択プログラム３７によって積算値の補正方法として増分補正方法又は絶対値補正方法のいずれか一方を選択することができるので、補正時点のでの状態に応じて最も適切な補正方法を選択することができ、絶対値が明らかな時点（例えばプラント起動前）、及び増分が明らかな時点（例えばプラント起動中）でのサイクル積算値を確実に修正することができ、高精度の積算値設定を行うことができる。
【００９５】
第７実施形態
以下、本発明の第７実施形態による炉心管理装置について図１９乃至図２１を参照して説明する。なお、本実施形態は上述した第１乃至第６実施形態に対して構成を一部追加したものである。
【００９６】
図１９に示したように本実施形態による炉心管理装置は、参照データベース１０に含まれる出力分布計算結果データファイルの中から、ユーザの指定により表示対象データを指定するための任意データ表示要求プログラム（任意データ表示要求手段）３９と、表示対象データが特定の状態にあるという条件の下で表示すべきデータを選択するためにデータ採取位置の条件を指定するデータ採取位置指定プログラム（データ採取位置指定手段）４０とを備えている。
【００９７】
ここで、データ採取位置指定プログラム４０における条件設定としては、例えば、熱的制限値が最も厳しい位置、制御棒照射量が最も多い位置、ＬＰＲＭ照射量が最も大きい位置、燃焼度が最も大きい位置、制御棒位置変化検出時の当該制御棒周囲、ＴＩＰスキャン実施時の累積制御棒照射量が最も大きい位置にある炉内構造物（例えば燃料集合体、ＬＰＲＭ、制御棒等）等がある。
【００９８】
本実施形態による炉心管理装置は、さらに、データ採取位置指定プログラム４０によって指定されたデータ採取位置におけるデータを出力分布計算結果データファイル１４から受け取って編集するための出力分布計算結果編集プログラム（出力分布計算結果編集手段）４１と、この出力分布計算結果編集プログラム４１による編集結果を表示装置４に出力するための出力分布計算結果表示プログラム（出力分布計算結果表示手段）４２とを備えている。
【００９９】
次に、本実施形態による炉心管理装置における処理の流れについて図２０及び図２１を参照して説明する。
【０１００】
図２１は任意データ表示要求プログラム３９の画面４３及びデータ採取位置指定プログラム４０の画面４４を示しており、これらの画面４３、４４は原子力プラントの積算値を補正する際に表示装置４に表示される。
【０１０１】
画面４３では、表示要求対象の出力分布計算結果ファイル名、表示対象データ名が指定可能であり、図２０に示したように、これらのファイル名及びデータ名を指定し（ステップ５０）しかる後、表示したいデータの炉内構造物座標位置を画面４４にて指定するために、データ採取位置指定プログラム４０を要求する（ステップ５１）。
【０１０２】
データ採取位置指定プログラム４０の画面４４では、表示を要求する炉内構造物をその座標ではなく物理的意味から選択することができる（ステップ５２）。選択は一度に複数個を指定可能である。
【０１０３】
任意データ表示要求プログラム３９において「実行」要求されたときに、指定されたファイル名、データ名と共に、データ採取位置指定プログラム４０で指定された座標位置情報を出力分布計算結果編集プログラム４１に通知する（ステップ５３）。
【０１０４】
出力分布計算結果編集プログラム４１は、通知されたファイル名、データ名、炉内構造物座標情報を受け取る（ステップ５４）。
【０１０５】
次に、指定されたファイルから炉内構造物の座標を判定するための判断用データを入力する（ステップ５５）。判断用データを以下に例示する。
【０１０６】
・熱的制限値の最も厳しい座標  →  全熱的制限値データ
・制御棒照射量が最も多い位置  →  全制御棒照射量データ
・ＬＰＲＭ照射量が最も大きい位置  →  全ＬＰＲＭ照射量データ
・燃焼度が最も大きい位置  →  全燃焼度データ
・制御棒位置変化検出時の当該制御棒周囲  →  制御棒位置
・ＴＩＰ走査時の制御棒照射量が最も大きい位置  →  ＴＩＰ走査時の制御棒照射量データ
そして、入力された判断用データに基づいて、炉内構造物座標情報に対応する炉内構造物座標を計算する（ステップ５６）。次に、計算した座標位置に対応する指定データを指定ファイルから入力し、編集結果として出力分布計算結果表示プログラム４２に出力する（ステップ５７）。
【０１０７】
出力分布計算結果表示プログラム４２は、受け取った編集結果データを表示装置４に表示する（ステップ５８）。
【０１０８】
以上述べたように本実施形態による炉心管理装置によれば、任意データ表示要求プログラム３９及びデータ採取位置指定プログラム４０によって、出力分布計算結果からの任意データの最大値／最小値などを選択することができるので、表示すべきデータの炉内座標を調べて入力する必要がなく、正確且つ迅速な操作が可能となると共に誤入力の可能性を低減することができる。
【０１０９】
第８実施形態
次に、本発明の第８実施形態による炉心管理装置について図２２乃至図２４を参照して説明する。なお、本実施形態は上述した第７実施形態に対して構成を一部追加したものである。
【０１１０】
図２２に示したように本実施形態による炉心管理装置は、データ採取位置指定プログラム４０によって指定された最新のデータ採取位置情報を記憶するためのデータ採取位置前回値記憶ファイル（データ採取位置前回値記憶手段）４５と、このデータ採取位置前回値記憶ファイル４５に保存されているデータ採取位置の前回値をデータ採取位置指定プログラム４０に入力するためのデータ採取位置前回値入力プログラム（データ採取位置前回値入力手段）４６と、を備えている。
【０１１１】
次に、本実施形態による炉心管理装置における処理の流れについて図２３及び図２４を参照して説明する。
【０１１２】
図２３に示したように、本実施形態による炉心管理装置においては、データ採取位置指定プログラム４０を要求する際に、データ採取位置前回値入力プログラム４６によってデータ採取位置前回値記憶ファイル４５から前回のデータ採取位置情報を受け取り（ステップ６０）、受け取った前回のデータ採取位置設定時の設定情報をデータ採取位置指定プログラム４０に出力する（ステップ６１）。
【０１１３】
図２４に示したようにデータ採取位置指定プログラム４０では、表示時に入力された前回データ採取位置情報をデータ採取位置指定プログラム４０の初期状態表示画面として表示する（ステップ６２）。
【０１１４】
ユーザは、初期状態から設定状態を変更したい場合のみ、データ採取位置情報を変更し、データ表示実行要求を行い、初期状態のままで十分であればデータ採取位置情報を変更することなくデータ表示実行要求を行う（ステップ６３）。
【０１１５】
実行要求時に、データ採取位置指定プログラム４０は、次回のデータ採取位置表示時のために今回のデータ採取位置情報をデータ採取位置前回値記憶ファイル４５に出力する（ステップ６４）。
【０１１６】
なお、上記以外の処理手順は上述した第７実施形態の場合と同様である。
【０１１７】
以上述べたように本実施形態による炉心管理装置によれば、データ採取位置前回値入力プログラム４６によって、機能要求時に前回設定値を予め入力フレームに表示し、同一要求を行う場合には再入力の手間を省くことができ、正確且つ迅速な作業を行うことができると共に、誤入力の可能性を低減することができる。
【０１１８】
第９実施形態
次に、本発明の第９実施形態による炉心管理装置について図２５乃至図２７を参照して説明する。なお、本実施形態は上述した第８実施形態に対して構成を一部追加したものである。
【０１１９】
図２５に示したように本実施形態による炉心管理装置は、データ採取位置指定プログラム４０によって指定されたデータ採取位置設定条件を記憶するための複数のデータ採取位置設定記憶ファイル（データ採取位置設定記憶手段）４８と、これらのデータ採取位置設定記憶ファイル４８に保存されているデータ採取位置の設定条件をデータ採取位置指定プログラム４０に送るためのデータ採取位置設定読込プログラム（データ採取位置設定読込手段）４９と、データ採取位置指定プログラム４０による現在のデータ採取位置情報をデータ採取位置設定記憶ファイル４８に保存するためのデータ採取位置設定書込プログラム（データ採取位置設定書込手段）５０と、を備えている。
【０１２０】
次に、本実施形態による炉心管理装置における処理の流れについて図２６及び図２７を参照して説明する。
【０１２１】
上記第８実施形態の説明で既に述べたように、データ採取位置指定プログラム４０を要求時にデータ採取位置前回値入力プログラム４６によって前回のデータ採取位置設定時の設定情報が表示される（ステップ６２）。
【０１２２】
データ採取位置指定プログラム４０では、図２７に示した画面５１の画面表示時にデータ採取位置設定読込プログラム４９のデータ読込機能を要求することにより、複数のデータ採取位置設定記憶ファイル４８からユーザの選択によって設定するデータを読み込む（ステップ６５）。読み込まれたデータはデータ採取位置指定情報として表示され、ユーザは表示されたデータ採取位置情報に対して修正を行う（ステップ６６）。
【０１２３】
ユーザは、修正したデータ採取位置情報をデータ採取位置設定記憶ファイル４８に保存することができる（ステップ６７）。このとき、複数のデータ採取位置設定記憶ファイル４８から選択的に記憶先ファイルを指定することができる。データ採取位置情報はデータ採取位置前回値記憶ファイル４５に出力される（ステップ６８）。
【０１２４】
以上述べたように本実施形態による炉心管理装置は、データ採取位置設定記憶ファイル４８に保存された複数の代表的なデータ表示方法を適宜読み込んで利用することができるので、要求頻度の高いデータ設定を毎回行う必要がなく、正確且つ迅速な機能要求を行うことができると共に、誤入力の可能性を低減することができる。
【０１２５】
【発明の効果】
以上述べたように本発明による炉心管理装置によれば、出力分布計算手段は、出力分布計算条件作成手段及び出力分布計算選択手段から独立したプログラムとしてそれぞれ構成されているので、出力分布計算手段における出力分布計算手法を変更する際に炉心管理装置全体の機能更新を行う必要がなく、計算手法の変更を容易に行うことができると共に、変更後の炉心管理装置の使用方法に混乱を生じることなく支障なく継続使用することができる。
【図面の簡単な説明】
【図１】本発明の第１実施形態による炉心管理装置の概略構成を示したブロック図。
【図２】本発明の第１実施形態による炉心管理装置のコンピュータの内部の概略構成を示したブロック図。
【図３】本発明の第１実施形態による炉心管理装置における処理の流れを示したフローチャート。
【図４】本発明の第２実施形態による炉心管理装置のコンピュータの内部の概略構成を示したブロック図。
【図５】本発明の第２実施形態による炉心管理装置における処理の流れを示したフローチャート。
【図６】本発明の第２実施形態による炉心管理装置の起動手段選択情報テーブルの一例を示した図。
【図７】本発明の第３実施形態による炉心管理装置のコンピュータの内部の概略構成を示したブロック図。
【図８】本発明の第３実施形態による炉心管理装置における処理の流れを示したフローチャート。
【図９】本発明の第３実施形態による炉心管理装置の積算値増分入力プログラムの画面の一例を示した図。
【図１０】本発明の第４実施形態による炉心管理装置のコンピュータの内部の概略構成を示したブロック図。
【図１１】本発明の第４実施形態による炉心管理装置における処理の流れを示したフローチャート。
【図１２】本発明の第４実施形態による炉心管理装置の積算値増分、積算値対応時刻入力プログラムの画面の一例を示した図。
【図１３】本発明の第５実施形態による炉心管理装置のコンピュータの内部の概略構成を示したブロック図。
【図１４】本発明の第５実施形態による炉心管理装置における処理の流れを示したフローチャート。
【図１５】本発明の第５実施形態による炉心管理装置の積算値絶対値、積算値対応時刻入力プログラムの画面の一例を示した図。
【図１６】本発明の第６実施形態による炉心管理装置のコンピュータの内部の概略構成を示したブロック図。
【図１７】本発明の第６実施形態による炉心管理装置における処理の流れを示したフローチャート。
【図１８】本発明の第６実施形態による炉心管理装置の積算値設定方法選択プログラムの画面の一例を示した図。
【図１９】本発明の第７実施形態による炉心管理装置のコンピュータの内部の概略構成を示したブロック図。
【図２０】本発明の第７実施形態による炉心管理装置における処理の流れを示したフローチャート。
【図２１】本発明の第７実施形態による炉心管理装置の任意データ表示要求プログラム及びデータ採取位置指定プログラムの画面の一例を示した図。
【図２２】本発明の第８実施形態による炉心管理装置のコンピュータの内部の概略構成を示したブロック図。
【図２３】本発明の第８実施形態による炉心管理装置における処理の流れを示したフローチャート。
【図２４】本発明の第８実施形態による炉心管理装置のデータ採取位置指定プログラムの画面の一例を示した図。
【図２５】本発明の第９実施形態による炉心管理装置のコンピュータの内部の概略構成を示したブロック図。
【図２６】本発明の第９実施形態による炉心管理装置における処理の流れを示したフローチャート。
【図２７】本発明の第９実施形態による炉心管理装置のデータ採取位置指定プログラムの画面の一例を示した図。
【図２８】従来の炉心管理装置の出力分布計算プログラムの部分の概略構成を示したブロック図。
【図２９】従来の炉心管理装置の初期化プログラムの部分の概略構成を示したブロック図。
【図３０】従来の炉心管理装置の表示プログラムの部分の概略構成を示したブロック図。
【図３１】従来の炉心管理装置の処理の流れを示したフローチャート。
【符号の説明】
１  原子力プラント
２  プロセスデータ取込装置
３  コンピュータ
４  表示装置
５  データ入力装置
６  出力分布計算部
７  出力分布計算手段
８  出力分布計算条件作成手段
９  出力分布計算選択手段
１０  参照データベース
１１  出力分布計算条件作成用データファイル
１２  出力分布計算選択用データファイル
１３  出力分布計算用データファイル
１４  出力分布計算結果データファイル
１５  履歴データ初期化プログラム
１６  積算値初期化プログラム
１７  出力分布計算データ初期化プログラム
１８  ＬＰＲＭ全較正完了フラグ初期化プログラム
１９  サイクル初期化制御プログラム
２０  サイクル初期化時制御要求プログラム
２７  プラントデータ積算値記憶ファイル
２８  プラントデータ積算プログラム
２９  積算値増分入力プログラム
３０  プラントデータ積算値設定プログラム
３２  積算値対応時刻入力プログラム
３４  積算値絶対値入力プログラム
３５  積算値絶対値設定プログラム
３７  積算値設定方法選択プログラム
３９  任意データ表示要求プログラム
４０  データ採取位置指定プログラム
４１  出力分布計算結果編集プログラム
４２  出力分布計算結果表示プログラム
４５  データ採取位置前回値記憶ファイル
４６  データ採取位置前回値入力プログラム
４８  データ採取位置設定記憶ファイル
４９  データ採取位置設定読込プログラム
５０  データ採取位置設定書込プログラム
６０  記憶手段
【図１】
0003808628.tif 000002
【図２】
0003808628.tif 000003
【図３】
0003808628.tif 000004
【図４】
0003808628.tif 000005
【図５】
0003808628.tif 000006
【図６】
0003808628.tif 000007
【図７】
0003808628.tif 000008
【図８】
0003808628.tif 000009
【図９】
0003808628.tif 000010
【図１０】
0003808628.tif 000011
【図１１】
0003808628.tif 000012
【図１２】
0003808628.tif 000013
【図１３】
0003808628.tif 000014
【図１４】
0003808628.tif 000015
【図１５】
0003808628.tif 000016
【図１６】
0003808628.tif 000017
【図１７】
0003808628.tif 000018
【図１８】
0003808628.tif 000019
【図１９】
0003808628.tif 000020
【図２０】
0003808628.tif 000021
【図２１】
0003808628.tif 000022
【図２２】
0003808628.tif 000023
【図２３】
0003808628.tif 000024
【図２４】
0003808628.tif 000025
【図２５】
0003808628.tif 000026
【図２６】
0003808628.tif 000027
【図２７】
0003808628.tif 000028
【図２８】
0003808628.tif 000029
【図２９】
0003808628.tif 000030
【図３０】
0003808628.tif 000031
【図３１】
0003808628.tif 000032